(57)【特許請求の範囲】
【請求項１】
フィルム幅方向端部に形成された複数のパーフォレーションの間に磁気情報を記録するためのトラックを設けた写真フィルムを搬送する搬送手段と、
前記トラックに対向して設けられ前記磁気情報を記録又は再生するための磁気ヘッドと、
前記磁気ヘッドよりも前記写真フィルムの搬送方向上流側に前記トラックに対向して設けられ、前記写真フィルムに付着した付着物を磁気ヘッド到達前に除去するフィルム摺動面の摩擦係数が０．１以上である除去部材と、
前記写真フィルムに当接するローラ、及び前記ローラを前記除去部材側に付勢するバネを備えたに押圧手段と、
を有することを特徴とする写真フィルム処理装置。
【請求項２】
前記除去部材は、フィルム摺動面が凹凸面であることを特徴とする請求項１に記載の写真フィルム処理装置。
【発明の詳細な説明】
【０００１】
【発明の属する技術分野】
本発明は、写真フィルム処理装置にかかり、特に、写真フィルムに記録された画像以外の情報を写真フィルムから収集して写真フィルムを処理する写真フィルム処理装置に関する。
【０００２】
【従来の技術】
カメラにより撮影された画像に関する撮影情報（例えば、ストロボの有無、被写体までの距離、フォーカス、被写体照明光の色温度、撮影時の日付、ユーザＩＤの各情報）等は、プリントやディスプレイ表示をするために有効である。このため、写真フィルム、特にネガフィルムに情報を記録する方法として、ネガフィルムへ透明磁性体を塗布して、このネガフィルムを特定する情報及びネガフィルムに焼付けられた画像を特定する情報を磁気記録することが提案されている（一例として、Ｉｎｔｅｒｎａｔｉｏｎａｌ  Ｐｕｂｌｉｃａｔｉｏｎ  Ｎｕｍｂｅｒ    ＷＯ  ９０／０４２０５）。これによれば、画像コマにそれぞれ対応して情報を記憶させることができ、更に、ラボでは、印画紙への焼付時に画像コマ毎に焼付時の露光量等を記録しておくこともできる。
【０００３】
このように、写真フィルムに透明磁気記録層を付与し、それに情報を磁気記録することによって、例えば、プリント時にプリントサイズを変更したり、色味を向上させたり、ユーザーの好みのタイトルをプリントに焼付けたりすることができる。このような透明磁気記録層を有する写真フィルムを用いて、カメラ、ラボ機器、ＴＶフォトプレーヤー等の機械において、磁気ヘッドと写真フィルムとが相対的に摺動することにより、磁気情報の記録再生をすることができる。
【０００４】
ところで、磁気ヘッドと写真フィルムとの相対的な摺動によって、空気中のゴミ、埃や写真フィルムから発生する削れ屑等が磁気ヘッド表面に堆積することがあり、情報を記録再生するための性能が劣化していた。この問題を解決するために、従来、写真フィルム表面に研磨剤を充分含んだ研磨層を設けて、摺動時の研磨剤の研磨作用によって、磁気ヘッドに堆積したゴミ等を削り落とすようにしている。
【０００５】
【発明が解決しようとする課題】
しかしながら、写真フィルムの接触部分は、磁気ヘッドに堆積したゴミ等のみではないため、従来のように、研磨剤を写真フィルムに充分含ませて、情報の記録再生性能が劣化しないようにすると、磁気ヘッドや搬送路等、堆積物以外の部分も研磨剤の研磨作用により磨耗することがある。
【０００６】
本発明は、上記事実を考慮して、磁気ヘッドの耐久性を低下させることなく、磁気情報の記録又は再生を確実に行うことのできる写真フィルム処理装置を得ることが目的である。
【０００７】
【課題を解決するための手段】
請求項１に記載の発明は、フィルム幅方向端部に形成された複数のパーフォレーションの間に磁気情報を記録するためのトラックを設けた写真フィルムを搬送する搬送手段と、
前記トラックに対向して設けられ前記磁気情報を記録又は再生するための磁気ヘッドと、前記磁気ヘッドよりも前記写真フィルムの搬送方向上流側に前記トラックに対向して設けられ、前記写真フィルムに付着した付着物を磁気ヘッド到達前に除去するフィルム摺動面の摩擦係数が０．１以上である除去部材と、前記写真フィルムに当接するローラ、及び前記ローラを前記除去部材側に付勢するバネを備えたに押圧手段と、を有することを特徴としている。
【０００８】
次に、請求項１に記載の発明の写真フィルム処理装置の作用を説明する。
請求項１に記載の写真フィルム処理装置で用いる写真フィルムとしては、ネガフィルム、リバーサルフィルム、Ｘ線用フィルム、赤外線用フィルム等があり、主に用いられるのは、ネガフィルムである。
【０００９】
搬送手段によって写真フィルムが搬送されると、写真フィルムの搬送に伴って除去部材のフィルム接触面が写真フィルムのトラックに付着した付着物を除去し、付着物の除去されたトラックが磁気ヘッドに至り磁気情報が磁気ヘッドにより記録又は再生される。これにより、磁気ヘッドにゴミや埃等が付着することを防止でき、磁気情報の記録又は再生を確実に行うことができる。除去部材のフィルム摺動面の摩擦係数は０．１以上であるため、付着物の除去効果を高めることができる。また、研磨剤等を使用しないので、磁気ヘッド及び搬送手段の耐久性を損なうことが無い。さらに、押圧手段のバネが、写真フィルムに当接するローラを除去部材側に付勢するので、付着物の除去効果を高めることができる。また、剛性の高い写真フィルムでも確実に除去部材を摺動させることが出来る。
【００１０】
請求項２に記載の発明は、請求項１に記載の写真フィルム処理装置において、前記除去部材は、フィルム摺動面が凹凸面であることを特徴としている。
【００１１】
次に、請求項２に記載の発明の写真フィルム処理装置の作用を説明する。
除去部材のフィルム摺動面が凹凸面であるため、磁気記録層に付着した付着物をかき落とすこともでき、平滑な面よりも付着物の除去効果が高い。
【００１６】
次に、請求項３に記載の発明の写真フィルム処理装置の作用を説明する。
請求項３に記載の写真フィルム処理装置では、押圧手段が写真フィルムを除去部材に押し付けるので、付着物の除去効果を高めることができる。また、剛性の高い写真フィルムでも確実に除去部材に摺動させることができる。
【００１７】
【実施の形態】
本発明の一実施形態にかかる写真フィルム処理装置としてのプリンタ３００について詳細に説明する。
【００１８】
図４に示すように、プリンタ３００は、光源３１４を有している。この光源３１４から照射される光線の焼付光路Ｌには、その最上方にプリントマスク３１６が配置され、ロール状印画紙１６の一部を挟持して、焼付位置へ固定している。ロール状印画紙１６は、その両方が回転軸３１８、３２０に層状に巻き取られており、プリントマスク３１６の下流側には、一対の搬送ローラ３２２が設置され、印画紙１６を挟持している。搬送ローラ３２２は、モータ３４４の駆動力で図４の矢印Ａ方向へ回転され、一方の層状巻取部（図４の左側層状巻取部）の外周から印画紙先端を引き出して、他方の回転軸３２０へ巻取る構成である。
【００１９】
巻き出し用回転軸３１８とプリントマスク３１６との間の印画紙１６は、テンションローラ３４６に巻掛けられている。また、搬送ローラ３２２の下流側にも、テンションローラ３４８が配設され、印画紙１６が巻掛けられている。これらのテンションローラ３４６、３４８はその軸直角方向へ移動可能とされており、印画紙搬送時のテンションを一定に保持するようにしている。
【００２０】
プリントマスク３１６の下方の焼付光路Ｌ上には、ネガキャリア３０２が配設され、長尺状のフィルムＦの一部を挟持して、所定位置へ固定している。フィルムＦは、その両方が、回転軸３５２、３５４に層状に巻き取られており、ネガキャリア３０２の下流側には、搬送手段としての一対の搬送ローラ３５６が設置され、フィルムＦを挟持している。一対の搬送ローラ３５６は、モータ３５８の駆動力で図４の矢印Ｂ方向へ回転され、一方の層状巻取部（図４の左側巻取部）の外周からフィルムＦを引き出して、他方の回転軸３５４へ巻取る構成である。
【００２１】
巻き出し用回転軸３５２とネガキャリア３０２との間のフィルムＦは、テンションローラ３６８に巻掛けられている。また、搬送ローラ３５６の下流側にも、テンションローラ３７０が配設され、フィルムＦが巻掛けられている。これらのテンションローラ３６８、３７０はその軸直角方向へ移動可能とされており、フィルムＦの搬送時のテンションを一定に保持するようにしている。
【００２２】
また、テンションローラ３６８とネガキャリア３０２との間には、磁気情報再生部３７２が配設されている（詳細は後述）。このため、フィルムＦは、この磁気情報再生部３７２を通過してネガキャリア３０２へ至ることになる。また、磁気情報再生部３７２の上流側には、フィルムＦの有無や終端を検出するための光学センサ５０、及びフィルムＦに予め製造時等に記録された磁気情報が記録されていないことを表すマークを検出するためのバーコードリーダーやラインセンサ等の光学センサ５１が配設されている。フィルムの終端は、ＬＳＩカードから終端情報を得ることができるが、ＬＳＩカードを用いずに、長尺のロール状フィルム及びフィルムＦの終端を検出するためには、透過光量及び反射光量の差や予め設定された識別子で判別できる。このマークは、簡易カメラや通常の磁気記録層を有しないネガフィルムに対して、光学的に付与されている。なお、このマークは、物理的なマーク、例えば、１または複数穿孔列や切り欠きでもよい。また、光学的なマークや物理的なマークは、簡易カメラ等を処理する場合に、大ラボ内で付与するようにしてもよい。このように、光学的または物理的なマークが予め付与されていれば、光学センサ５１の出力信号から容易に磁気情報が記録されていないことを判別することができる。
【００２３】
上記ネガキャリア３０２とプリントマスク３１６との間には、焼付用レンズ３７４とブラックシャッタ３７６とが配置されている。ブラックシャッタ３７６は、ドライバ３７８からの駆動信号に応じて光路Ｌ上に挿入又は離脱可能とされている。また、焼付用レンズ３７４は、ドライバ３８０からの駆動信号に応じて光路Ｌに沿って移動可能となっており、これにより引伸倍率を変更することができる。
【００２４】
ネガキャリア３０２と光源３１４との間には、Ｃ（シアン）、Ｍ（マゼンタ）、Ｙ（イエロー）の各色のカットフィルタ３８２、３８４、３８６が配設されている。これらのカットフィルタ３８２、３８４、３８６はそれぞれドライバ３８８、３９０、３９２からの信号に応じて、光路Ｌ上へ挿入又は離脱されるようになっている。
【００２５】
ネガキャリア３０２の斜め上方には、受光器３９４が配設されている。受光器３９４はネガキャリア３０２に位置決めされているフィルムＦに撮影された画像の濃度情報を検出し、その検出値を制御部３９６へ供給するようになっている。制御部３９６では、この濃度情報に基づいて露光補正量が演算され、この演算結果に基づいて基準となる露光量を補正し、補正された露光量に応じて前記ブラックシャッタ３７６及びカットフィルタ３８２、３８４、３８６を制御している。
【００２６】
また、フィルムＦには、乳剤層とは反対側に透明磁気層が設けられており、図１に示されるように幅方向の端部に所定間隔でパーフォレーション１４Ａが形成されている。なお、パーフォレーション１４Ａとパーフォレーション１４Ａとの間に磁気情報を記録するトラック１４Ｂが設けられている。
【００２７】
図１乃至図３に示されるように、磁気情報再生部３７２には、対向ローラ２５４、２５６が互いに隣接して設けられている。これらの対向ローラ２５４、２５６は、搬送ローラ３５６（図示せず）によって搬送されるフィルムＦのトラック１４Ｂに対向する位置に配置されている。
【００２８】
磁気情報再生部３７２には、図示しない筐体に固定された台座２２８が設けられている。台座２２８の下部には、上下方向に延びる溝２８０が形成されており、この溝２８０の中には矩形の軸受２８２がスライド自在に設けられている。軸受２８２には孔２８４が形成されており、この孔２８４に対向ローラ２５４、２５６の軸２８６が回転自在に挿入されている。
【００２９】
フィルムＦの搬送方向上流側（矢印Ｒ方向とは反対方向側）の対向ローラ２５４には汚れ除去部材２５８、下流側の対向ローラ２５６にはトラック１４Ｂに記録されている磁気情報を読み出すことのできる磁気ヘッド２６０が対向している。対向ローラ２５４、２５６はスプリング２８８によって汚れ除去部材２５８及び磁気ヘッド２６０へ向けて付勢されており、フィルムＦを所定の力で汚れ除去部材２５８及び磁気ヘッド２６０へ押し付けるようになっている。
【００３０】
なお、対向ローラ２５４、軸受２８２及びスプリング２８８が本発明の押圧手段に相当する。
【００３１】
この磁気ヘッド２６０は、プリンタ３００の図示しないコントロールユニットに接続されており、トラック１４Ｂに記録されている磁気情報を読み出してコントロールユニットへ出力している。
【００３２】
図１及び図２に示されるように、本実施形態の磁気ヘッド２６０は、フィルムＦと摺動する側が略円弧状に形成されており、中央に埋設されたコア２６１のフィルムＦの幅方向の両側が平面状に形成されている。なお、コア２６１の中央部分には、フィルムＦの搬送方向と直交する方向に延びるギャップ２６１Ａが形成されている。
【００３３】
一方、本実施形態の汚れ除去部材２５８は、磁気ヘッド２６０とほぼ同じ形状に形成されているが、フィルムＦの搬送方向に沿った方向の幅が若干短くなっている。汚れ除去部材２５８のフィルムＦとの摺動面は、磁気ヘッド２６０の摺動面と同様に滑らかに仕上げられている。
【００３４】
図１及び図３に示されるように、汚れ除去部材２５８及び磁気ヘッド２６０はベース板２６２に固定されている。ベース板２６２には、フィルムＦの搬送方向（矢印Ｒ方向）に沿った両側にガイド部２６８が設けられている。このガイド部２６８は、フィルムＦの幅方向の端面に向けて突出しており、側面２６８ＡがフィルムＦの幅方向の端面に対向するようになっている。
【００３５】
このガイド部２６８の側面２６８Ａと磁気ヘッド２６０のギャップ２６１ＡがフィルムＦのトラック１４Ｂの形成されている側の端面とトラック１４Ｂとの間隔に合わせて設定されており、ガイド部２６８の側面２６８ＡがフィルムＦの幅方向の端面に当接すると、ギャップ２６１Ａがトラック１４Ｂと対向するようになっている。なお、このときには、汚れ除去部材２５８の略円弧状に形成された部分もフィルムＦのトラック１４Ｂと対向する。
【００３６】
図３に示すように、台座２２８には、フィルムＦの搬送路に隣接してガイドケース２７０が設けられており、ベース板２６２から突出した突出部２６２Ａがこのガイドケース２７０内に出没可能に収容されている。この突出部２６２Ａがガイドケース２７０内から出没することにより、汚れ除去部材２５８及び磁気ヘッド２６０がベース板２６２と共に、フィルムＦの幅方向（矢印Ｃ方向及び矢印Ｃ方向とは反対方向））に沿って移動するようになっている。
【００３７】
このガイドケース２７０内には、ベース板２６２をフィルムＦの幅方向に沿ってフィルムＦ側へ向けて付勢する付勢手段として圧縮コイルバネ２７２が設けられている。ベース板２６２は、この圧縮コイルバネ２７２によってガイド部２６８の側面２６８ＡがフィルムＦの幅方向の端面に当接した位置で保持されている。
【００３８】
このため、例えば台座２２８上を搬送されるフィルムＦに蛇行が生じて、ベース板２６２の近傍を通過するフィルムＦの幅方向の端部がガイド部２６８から離間する方向へずれると、圧縮コイルバネ２７２の付勢力によってガイド部２６８の側面２６８ＡがフィルムＦの幅方向の端部に当接するようにベース板２６２と共に移動する。また、フィルムＦがガイド部２６８を押し戻す方向へずれると、ガイド部２６８と共にベース板２６２がフィルムＦのずれに追従して移動し、圧縮コイルバネ２７２の付勢力に抗して、突出部２６２Ａがガイドケース２７０内へ押し込まれる。これによって、ベース板２６２に設けられた汚れ除去部材２５８及び磁気ヘッド２６０は、常に、フィルムＦの幅方向の端部から一定の距離にあるトラック１４Ｂに対向する。
【００３９】
なお、圧縮コイルバネ２７２の付勢力は、フィルムＦの蛇行に追従して、汚れ除去部材２５８及び磁気ヘッド２６０が設けられたベース板２６２の移動が容易でかつ、フィルムＦに不必要な力を与えない程度に設定されている。また、ガイド部２６８のフィルムＦ搬送方向の両側は、フィルムＦを損傷させることがないように面取り等の表面処理が施されている。
【００４０】
次に、本実施形態の作用を説明する。
プリンタ３００にセットされた長尺のロール状フィルムが搬送ローラ３５６によって引き出されると、フィルムＦのトラック１４Ｂ部分が汚れ除去部材２５８と対向ローラ２５４との間を通過し、その後、磁気ヘッド２６０と対向ローラ２５６との間を通過する。ここで、フィルムＦのトラック１４Ｂ部分は、対向ローラ２５４によって汚れ除去部材２５８に押し付けられて摺動するので、トラック１４Ｂ部分に付着した付着物（ゴミや埃等）が汚れ除去部材２５８に付着して除去される。
【００４１】
磁気ヘッド２６０は、搬送されるフィルムＦからトラック１４Ｂに記録された磁気情報（画像コマ毎に対応する情報）を読み取り、プリンタ３００は読み取った磁気情報に基づいて露光処理を行う。
【００４２】
磁気ヘッド２６０には、汚れの除去されたトラック１４Ｂが摺動するので、磁気ヘッド２６０に汚れが生じ難くなる。このため、トラック１４Ｂに記録された磁気情報を確実に読み取る事ができ、磁気情報を基にして高品質のプリントを得ることができる。
【００４３】
なお、フィルムＦは剛性が高く、変形しにくいので、対向ローラ２５４によってフィルムＦを汚れ除去部材２５８に押し付けることは、トラック１４Ｂ部分の汚れ除去部材２５８への密着性を向上させ、汚れ除去効果を確実なものとする。
【００４４】
本実施形態では、フィルムＦを汚れ除去部材２５８に押し付けるための押圧手段として対向ローラ２５４等を用いたが、図５に示すように、板バネ２９０で付勢されたパッド２９２を用いても良い。
【００４５】
対向ローラ２５４やパッド２９２による押し付け圧は、高いほど汚れ除去効果を高めることができるが、写真用のフィルムＦの場合では５０ｇｆ以上が好ましい。また、フィルムＦの搬送性や損傷等を考慮して押し付け圧は設定する必要があり、これらを考慮すると５００ｇｆ程度が最高の押し付け圧となる。
【００４６】
なお、フィルムＦの透明磁気層が摺動する汚れ除去部材２５８の材質は、耐摩耗性に優れ、磁化しないものが好ましい。また、汚れ除去部材２５８は、表面の摩擦係数が高いものほど汚れの付着力も大きく、摩擦係数は０．１以上とすることが好ましい。なお、汚れ除去部材２５８は、摩擦係数が０．１以上の材質を用いても良く、表面処理を施して摩擦係数を高くしても良い。
【００４７】
汚れ除去部材２５８に用いる材質の具体例としては、ガラス、セラミックス、アルミ（例えばＡ５０５２）、ステンレス（例えば、ＳＵＳ３０３）等を上げることができるが、これら以外であっても良い。また、材質がアルミの場合には、表面をアルマイト処理することが好ましい。
【００４８】
なお、前記実施形態の汚れ除去部材２５８は、フィルムＦのトラック１４Ｂと対向する部分が磁気ヘッド２６０と同様に略円弧状に形成されていたが、フィルムＦと対向する部分は円弧状以外の形状であっても良い。
【００４９】
例えば、図６及び図７に示されるように、汚れ除去部材２５８は、円弧状部分の上流側（矢印Ｒ方向とは反対方向側）の一部がカットされていても良い。図６及び図７に示す汚れ除去部材２５８では、中心線ＣＬよりも０．３ｍｍ上流側が、円弧状部分の頂部から０．１５ｍｍ削られて平面状に形成されている。また、円弧状部分と平面状部分との段差部分は、中心線ＣＬに対して３０°傾斜した傾斜面となっている。
【００５０】
また、図８に示されるように、汚れ除去部材２５８は、上流側が更に深く削られていても良く、図９に示されるように中央部分を所定幅残して円弧状部分の上流側及び下流側が平面状に削られていても良い。これらは、汚れ除去部材２５８に汚れを付着させるだけでなく、汚れを強制的にかき落とすのに有効である。特に、図９に示す形状の汚れ除去部材２５８では、細かいゴミや埃をはき出す効果が高い。
【００５１】
また、汚れ除去部材２５８は、フィルムＦのトラック１４Ｂと対向する部分が凹凸形状であっても良い。例えば、図１０に示すように、フィルムＦのトラック１４Ｂ（図示せず）と接触する部分に、フィルムＦの搬送方向（矢印Ｒ方向）と交差する方向に延びる複数の小突起２９４を、フィルムＦの搬送方向に沿って複数形成しても良い。この場合も、フィルムＦに付着した汚れを強制的にかき落とすのに有効である。
【００５２】
さらに、上記対向ローラ２５４やパッド２９２を配設した場合、フィルムＦの先端部が搬送されてくるときに、確実に汚れ除去部材２５８と対向ローラ２５４（又はパッド２９２）との間にフィルムＦが案内されるように、ソレノイド等を用いて汚れ除去部材２５８を一時的に退避させ、対向ローラ２５４（又はパッド２９２）との間に隙間を設けるようにしても良く、また、対向ローラ２５４（又はパッド２９２）を退避させるようにしてもよい。
【００５３】
また、前記実施形態の汚れ除去部材２５８は、磁気ヘッド２６０とほぼ同様の形状をしていたが、フィルムＦを傷付けずに汚れを除去できるものであればどのような形状であっても良い。
【００５４】
また、前記実施形態の汚れ除去部材２５８はフィルムＦの搬送によって動くことはなかったが、フィルムＦの搬送に対応して汚れ除去部材２５８を動かしても良い。例えば、図１１に示すように、汚れ除去部材２５８はフィルムＦの搬送に伴って回転するローラであっても良く、図１２に示すように、汚れ除去部材２５８はフィルムＦの搬送に伴って移動するベルトであっても良い。なお、汚れ除去部材２５８がローラやベルト等である場合、これらのローラやベルトは、フィルムＦに接触して従動させても良く、モータ等で強制的に動かしても良い。
【００５５】
また、本発明は、写真フィルムを１本毎に現像処理する現像機と、現像済のフィルム１本毎に印画紙へ画像を焼付け、かつ印画紙の現像、画像毎の切断、ソーティングを行うプリンタプロセッサと、の組み合わせによってＤＰＥを行う、所謂ミニラボ（図示省略）への適用も可能であり、さらに、フィルムスプライサ、現像機、検定機、フィルムをカートリッジに戻すアタッチャ、フィルムをカートリッジから取り出すデタッチャ、フィルムを処理用のリールへ巻き換える巻換機等への適用も可能である。
（試験例）
図１３は、材質や形状の異なる汚れ除去部材を複数種類作製して、これらの汚れ除去部材を用いた場合と用いない場合のフィルムの通過本数と磁気ヘッドの再生出力（Ｐｅａｋ−Ｐｅａｋ）  との関係を表したものである。
【００５６】
なお、図１３の表の中でいう磁気ヘッド形状とは図１に示す形状であり、ローラ形状とは図１１に示す形状である。また、効果の差が解りやすいように、フィルムには強制的に多くの汚れを付着させたものを用いている。
【００５７】
試験の結果、通過本数が多くなると、磁気ヘッドに汚れの付着が多くなって再生出力も低下するが、汚れ除去部材の無いものに比較して汚れ除去部材があるものは再生出力の低下が少ないことが分かる。
【００５８】
また、汚れ除去部材は、ローラよりも固定されているものの方が汚れ除去効果が高いことが判明した。
【００５９】
また、汚れ除去部材の材質では、ステンレスよりもアルミの汚れ除去効果が高く、さらにはアルマイト処理を行ったアルミの汚れ除去効果が高いことが判明した。また、ガラスは、試験を行った材質のなかでは最も汚れ除去効果が高いことが判明した。
【００６０】
【発明の効果】
以上説明したように、請求項１及び請求項２に記載の写真フィルム処理装置は、写真フィルムに付着した付着物を磁気ヘッド到達前に除去部材で除去するので、以下の優れた効果が得られる。
（１）  磁気ヘッドにごみや塵埃等が付着することを防止でき、長期に渡って磁気情報の記録又は再生を確実に行うことができる。
（２）  磁気ヘッドのメインテナンス（清掃）を低減できる。
（３）  研磨剤等を使用しないので、磁気ヘッドや搬送経路の劣化を最小限度に抑えることができる。
（４）  フィルム摺動面の摩擦係数が０．１以上であるため、付着物を効率的に除去できる。
（５）  押圧手段のバネが、写真フィルムに当接するローラを除去部材側に付勢するので、付着物を効率的に除去できるという優れた効果を有する。また、剛性の高い写真フィルムでも確実に除去部材に摺動させることができ、確実に付着物を除去できるという優れた効果を有する。
【００６１】
請求項２に記載の写真フィルム処理装置では、磁気記録層に付着した付着物をかき落とすこともでき、平滑な面よりも付着物を効率的に除去できるという優れた効果を有する。
【図面の簡単な説明】
【図１】本発明が適用された磁気情報再生部の磁気ヘッド周辺の概略構成を示す斜視図である。
【図２】磁気情報再生部のフィルム側から見た側面図である。
【図３】磁気情報再生部のフィルム搬送方向と直交する方向の断面図である。
【図４】本発明が適用されたプリンタの概略構成図である。
【図５】他の実施形態に係る磁気情報再生部の汚れ除去部材周辺の側面図である。
【図６】更に他の実施形態に係る汚れ除去部材の斜視図である。
【図７】図６に示す汚れ除去部材の側面図である。
【図８】更に他の実施形態に係る汚れ除去部材の斜視図である。
【図９】更に他の実施形態に係る汚れ除去部材の斜視図である。
【図１０】更に他の実施形態に係る汚れ除去部材の斜視図である。
【図１１】更に他の実施形態に係る磁気情報再生部の汚れ除去部材周辺の側面図である。
【図１２】更に他の実施形態に係る磁気情報再生部の汚れ除去部材周辺の側面図である。
【図１３】汚れ除去部材を種々変えたときの磁気ヘッドの再生出力とフィルム通過本数との関係を示す試験結果のグラフである。
【符号の説明】
Ｆ      フィルム（写真フィルム）
２５４  対向ローラ（押圧手段）
２５８  汚れ除去部材
２６０  磁気ヘッド
２８２  軸受（押圧手段）
２８８  スプリング（押圧手段）
２９０  板バネ（押圧手段）
２９２  パッド（押圧手段）
３００  プリンタ（写真フィルム処理装置）
３５６  搬送ローラ（搬送手段）
【図１】
0003574230.tif 000002
【図２】
0003574230.tif 000003
【図３】
0003574230.tif 000004
【図４】
0003574230.tif 000005
【図５】
0003574230.tif 000006
【図６】
0003574230.tif 000007
【図７】
0003574230.tif 000008
【図８】
0003574230.tif 000009
【図９】
0003574230.tif 000010
【図１０】
0003574230.tif 000011
【図１１】
0003574230.tif 000012
【図１２】
0003574230.tif 000013
【図１３】
0003574230.tif 000014